(57)【要約】【課題】  接続プラグを中継コネクタを介して接続する接続構造において、接続プラグを引き抜く際に生じ得る中継コネクタの共抜けを防止する。【解決手段】  所定箇所に着脱自在に装着可能な中継コネクタ（Ｕリンク２）に対して挿抜タイプの接続プラグ１を接続する場合において、接続プラグ１に、該接続プラグの引き抜き時に中継コネクタを装着方向に押圧しつつ自身を中継コネクタから脱離可能にする付勢機構を設ける。付勢機構としては、接続プラグに外装されて接続プラグの挿抜方向に移動可能なカバー部材５によって構成したり、接続プラグと中継コネクタとの間に介在されて接続プラグの接続端面よりも側方へ突出する弾性部材によって構成したり、接続プラグと中継コネクタとの間に介在される作用片とこの作用片から所定の角度に曲折されて接続プラグの側面に対して鋭角に延出する操作片とからなる屈曲部材によって構成するとよい。【選択図】        図２
2006253006.tif 000002
【特許請求の範囲】
【請求項１】
所定箇所に着脱自在に装着可能な中継コネクタと、この中継コネクタに着脱自在に接続される挿抜タイプの接続プラグとを有して構成される接続構造に利用される中継コネクタ共抜防止装置であって、
前記接続プラグに、該接続プラグの引き抜き時に前記中継コネクタを装着方向に押圧しつつ自身を前記中継コネクタから脱離可能にする付勢機構を設けたことを特徴とする中継コネクタ共抜防止装置。
【請求項２】
前記付勢機構は、前記接続プラグに外装され、この接続プラグの挿抜方向に移動可能なカバー部材によって構成されることを特徴とする請求項１記載の中継コネクタ共抜防止装置。
【請求項３】
前記付勢機構は、前記接続プラグと前記中継コネクタとの間に介在され、前記接続プラグの接続端面よりも側方へ突出する弾性部材によって構成されることを特徴とする請求項１記載の中継コネクタ共抜防止装置。
【請求項４】
前記付勢機構は、前記接続プラグと前記中継コネクタとの間に介在される作用片と、この作用片から所定の角度に曲折されて前記接続プラグの側面に対して鋭角に延出する操作片とからなる屈曲部材によって構成されることを特徴とする請求項１記載の中継コネクタ共抜防止装置。
【請求項５】
前記接続プラグと前記中継コネクタとの間に介在される付勢機構の部分は、前記接続プラグの接続端部に設けられた凹部に収容されることを特徴とする請求項３又は４記載の中継コネクタ共抜防止装置。
【発明の詳細な説明】
【技術分野】
【０００１】
本発明は、例えば、通信設備の保守点検時等でのレベル測定時に測定コードの接続プラグを接続するために設けられたＵリンクなどの中継コネクタの脱離を防止する装置、更に詳しくは、挿抜タイプの接続プラグを中継コネクタから引き抜く際に中継コネクタが共抜けすることを防止する共抜防止装置に関するものである。
【背景技術】
【０００２】
通信設備の保守点検等でのレベル測定時には、設備の測定部に適した測定コードを選定し、この測定コードの接続プラグを測定部に装着してレベル測定を実施している。通信設備の測定部においては、その大半が標準化されており、使用する測定コードも挿抜タイプのコードが主流となっており、また、測定部は、通信設備に対して着脱可能なＵリンク等の中継コネクタで構成される場合が多い。
【０００３】
例えば、下記の特許文献１に示されるＵリンクにあっては、プリント基板と対峙する面にプリント基板の回路と接続するピンを設け、また、プリント基板の端面と平行に差込口（挿入ソケット）を設け、この差込口に所定の測定器に接続された測定コードの接続プラグを接続するようにしている。
【０００４】
【特許文献１】実開平５−６６８８８号公報
【発明の開示】
【発明が解決しようとする課題】
【０００５】
しかしながら、上述の構成においては、測定コードが基板の端面と平行をなすＵリンクの側面に取り付けられるので、測定コードの引き抜き時にＵリンクが測定コードと共抜けすることは殆んどないが、図７に示されるように、測定コードの接続プラグ１が、Ｕリンク２のプラグ端子２ｂが設けられた装着面と反対側の面に設けられた差込口２ａに接続される場合には、Ｕリンク２が装置３に対して着脱自在であると、接続プラグ１の引き抜き時にＵリンク２が接続プラグ１に接続された状態で接続プラグ１と共に引き抜かれてしまう。
【０００６】
装置のレベル測定は、装置の運用に支障をきたすことなく運転中に行なわれるので、Ｕリンク２が抜けてしまうと、運転状態にある装置の通信回線が遮断され、最悪の場合には、電気所の監視制御が不能になる虞がある。このため、通信設備の測定部がＵリンクのように着脱式である場合には、測定コードの接続プラグを引き抜く際に細心の注意が必要となり、測定箇所が多数ある場合には作業性が悪いものであった。
【０００７】
以上のような共抜けは、壁面や柱等に設けられた既設のコンセントの差込口数を増やすために、コンセントに差込口増設用タップを取り付け、この増設用タップに電源コードの接続プラグを接続する場合に、電源コードを増設用タップから引き抜く際にも生じる。
【０００８】
本発明は、かかる事情に鑑みてなされたものであり、接続プラグをＵリンクや差込口増設用タップ等の中継コネクタを介して接続する場合に、接続プラグを引き抜く際に生じ得る中継コネクタの共抜けを防止することが可能な中継コネクタ共抜防止装置を提供することを主たる課題としている。
【課題を解決するための手段】
【０００９】
上記課題を達成するために、この発明に係る中継コネクタ共抜防止装置は、所定箇所に着脱自在に装着可能な中継コネクタと、この中継コネクタに着脱自在に接続される挿抜タイプの接続プラグとを有して構成される接続構造に利用される装置であって、前記接続プラグに、該接続プラグの引き抜き時に前記中継コネクタを装着方向に押圧しつつ自身を前記中継コネクタから脱離可能にする付勢機構を設けたことを特徴としている（請求項１）。
【００１０】
ここで、中継コネクタは、伝送装置の場合であれば、測定コードの接続プラグが接続されるＵリンク等が対応し、電力系統の場合であれば、コンセントに取り付けられて電源コードの接続プラグが接続される差込口増設用タップ等が対応する。
【００１１】
したがって、接続プラグを引き抜く際には、付勢機構により中継コネクタが装着方向に押圧されるので、中継コネクタの所定箇所への装着状態を保ちつつ、接続プラグを中継コネクタから抜き取ることが可能となる。
【００１２】
付勢機構の具体的構成としては、前記接続プラグに外装され、この接続プラグの挿抜方向に移動可能なカバー部材によって構成するようにしても（請求項２）、前記接続プラグと前記中継コネクタとの間に介在され、接続プラグの接続端面よりも側方へ突出する弾性部材によって構成しても（請求項３）、前記接続プラグと前記中継コネクタとの間に介在される作用片とこの作用片から所定の角度に曲折されて前記接続プラグの側面に対して鋭角に延出する操作片とからなる屈曲部材によって構成してもよい（請求項４）。
【００１３】
接続プラグの挿抜方向に移動可能に外装されたカバー部材によって付勢機構を構成する場合には、接続プラグの引き抜き時にカバー部材を中継コネクタに押し付けるように該中継コネクタに向かって指で押し出し、それと同時に接続プラグを手前に引けば、中継コネクタを所定箇所に残したまま、接続プラグを引き抜くことが可能となる。
【００１４】
また、付勢機構を接続プラグの接続端面よりも側方へ突出する弾性部材によって構成する場合には、接続プラグの引き抜き時にリンク状部材を曲げて指で押さえ、このリンク状部材を中継コネクタに押し付けるように該中継コネクタに向かって押し出し、それと同時に接続プラグを手前に引けば、中継コネクタを所定箇所に残したまま、接続プラグを引き抜くことが可能となる。
【００１５】
さらに、付勢機構を、接続プラグと中継コネクタとの間に介在される作用片とこの作用から接続プラグの側面に対して鋭角に延出する操作片とからなる屈曲部材によって構成する場合には、接続プラグの引き抜き時に操作片を接続プラグに当接させるように押し付け、それと同時に接続プラグを手前に引けば、作用片によって中継コネクタを装着方向に押し付けつつ、接続プラグが抜き方向に動かされるので、中継コネクタを所定箇所に残したまま、接続プラグを引き抜くことが可能となる
【００１６】
尚、付勢部材を上述のようなリング状部材や屈曲部材によって構成する場合には、接続プラグと中継コネクタとの間に介在されるので、接続プラグと中継コネクタとの間にギャップが生じると、ノイズが混入したり、接続プラグと中継コネクタとの接触抵抗が増大して測定誤差が生じることが懸念される。このため、このような構成においては接続プラグと中継コネクタとの間に介在される付勢機構の部分を、接続プラグの接続端部に設けられた凹部に収容する構成とすることが望ましい（請求項５）。
【発明の効果】
【００１７】
以上述べたように、請求項１乃至４に係る発明によれば、挿抜タイプの接続プラグを所定箇所に着脱自在に装着される中継コネクタに接続する場合において、接続プラグに中継コネクタを装着方向に押圧しつつ自身の中継コネクタからの脱離を可能にする付勢機構を設けたので、接続プラグを中継コネクタから引き抜く場合に、中継コネクタの所定箇所への装着状態を保ちつつ、接続プラグを中継コネクタから抜き取ることが可能となり、中継コネクタの共抜けを防止することが可能となる。
【００１８】
また、請求項５に係る発明によれば、接続プラグと中継コネクタとの間に介在される付勢機構の部分を、接続プラグの接続端部に設けられた凹部に収容したので、接続プラグと中継コネクタとの間のギャップが無くなり、ノイズが混入したり、接続プラグと中継コネ
クタとの接触抵抗が大きくなって測定誤差が生じる不都合等を避けることが可能となる。
【発明を実施するための最良の形態】
【００１９】
以下、この発明の最良の実施形態を添付図面を参照しながら説明する。
【００２０】
図１において、通信装置３の測定箇所に設けられたＵリンク２と、図示しない測定機器に接続された測定コード４の先端に取り付けられる接続プラグ１とが示されている。
【００２１】
Ｕリンク２は、低次群の伝送装置と伝送路の故障切り分けや試験、モニタ等のために使用される中継コネクタで、伝送路と装置を接続し、途中に測定機器に接続された測定コードの接続プラグ１を挿抜できる構成となっており、前記図７に示されるものと同様のものであり、装置３の所定箇所に設けられた差込口３ａにプラグ端子２ｂを挿入することで装置３に着脱自在に装着されている。
【００２２】
このＵリンク２には、プラグ端子２ｂが設けられた装着面と反対側の面に接続プラグ１のプラグ端子１ａを挿入可能とする差込口２ａが設けられ、この差込口２ａに挿入されたプラグ端子１ａは、内部に収容された図示しない端子受けに電気的に接続されるようになっている。
【００２３】
本発明において、上述したＵリンク２に接続される接続プラグ１は、図１に示されるように、プラグ本体１ｂに、接続プラグ１の挿抜方向に移動可能なカバー部材５が外装されている。このカバー部材５は、本発明の付勢機構を構成するもので、プラグ本体１ｂが挿通する筒状に形成され、プラグ本体１ｂの先端近傍に突出形成された突起部１ｃを収容するガイド溝５ａと、このガイド溝５ａの両端部に配置されて突起部１ｃに当接可能なストッパ５ｂ，５ｃとが内面に形成され、突起部１ｃが当接するストッパ５ｂ，５ｃにより挿抜方向への可動範囲が規制されている。この例においてカバー部材５は、その先端がプラグ本体１ｂの先端に等しいかそれより手前となる部位からプラグ本体１ｂの前方へ押し出すことができ、また、プラグ本体１ｂから脱落しないようにストッパ５ｂ，５ｃの位置が設定されている。
【００２４】
以上の構成において、Ｕリンク2 に測定コード4 を接続する場合には、プラグ本体１ｂをカバー部材５に収めるようにカバー部材５を手前に引き、突起部１ｃをストッパ５ｂに当接させた状態でプラグ端子１ａをＵリンク２の差込口２ａに挿入する。これにより、測定コード４の接続プラグ１をＵリンク２に隙間無く接続させることができ、接続プラグ１とＵリンク２との間のギャップに起因するノイズの混入や、接続プラグ１とＵリンク２と
の接触抵抗の変動による測定誤差を回避することが可能となる。
【００２５】
また、Ｕリンク２に接続された測定コード４を引き抜く場合には、接続プラグ１のプラグ本体１ｂを握るように持ちつつプラグ本体１ｂに外装されたカバー部材５を親指で押さえ（図２（ａ））、カバー部材５をＵリンク２に押し付けるように該Ｕリンク２に向かって親指で押し出し、それと同時に接続プラグ１を手前に引く（図２（ｂ））。その後、カバー部材５を押し出しきるか、プラグ端子１ａとＵリンク２との接続状態が緩くなった感触が得られた時点でカバー部材５をＵリンク２から離すように接続プラグ１を手前に引けばよい（図２（ｃ））。このような操作により、Ｕリンク２を所定箇所に残したまま、接続プラグ１をＵリンク２から抜き取ることが可能となり、Ｕリンク２の共抜けを防止することが可能となる。
【００２６】
図３において、付勢機構の他の構成例が示されている。この例において、付勢機構は、接続プラグ１のプラグ本体１ｂの先端部に取り付けられ、接続プラグ１の接続端面よりも側方へ突出するリング状の弾性部材６によって構成されている。このリング状の弾性部材６は、上下の中程がプラグ本体１ｂの先端中程を窪ませて形成された凹部１ｄに収容され、接続プラグ１がＵリンク２に接続されていない状態においては広がっており、接続プラグ１がＵリンク２に接続された場合には、弾性部材６の中程が挿抜方向に重ねられて凹部１ｄに収容され、プラグ本体１ｂの端面より先端側へ出ないようになっている。弾性部材６の接続端面から側方への突出量は、少なくとも一方の側（例えば、上側）において十分に突出する構成であればよく、同図に示されるように上下両方に突出されている必要は無い。また、弾性部材６が広がった状態においては、弾性部材６の先端部位がプラグ端子１ａに引っ掛かることがないようプラグ端子１ａの先端から出ないようになっている。
【００２７】
このような構成においては、Ｕリンク２に測定コード４を接続する場合には、弾性部材６が取り付けられた接続プラグ１を弾性部材６が広げられた状態でＵリンク２に接続する。これにより、広がっていた弾性部材６はＵリンク２とプラグ本体１ｂとに挟み込まれて重ねられ、プラグ本体１ｂに設けられた凹部１ｄに中程が重ねられた状態で収容されることになる。したがって、凹部１ｄに収容された部分は、プラグ本体１ｂの端面より先端側へ出ないので、プラグ本体１ｂとＵリンク２とを隙間無く接続させることができ、接続プラグ１とＵリンク２との間のギャップに起因するノイズの混入や、接続プラグ１とＵリンク２との接触抵抗の変動による測定誤差を回避することが可能となる。
【００２８】
また、Ｕリンク２に接続された測定コード４を引き抜く場合には、プラグ本体１を握るように持ちつつプラグ本体１に取り付けられた弾性部材６を折り曲げて親指で押さえ（図４（ａ））、弾性部材６の折り曲げた部分をＵリンク２に押し付けるようにＵリンク２に向かって親指で押し出し、それと同時に接続プラグ１を手前に引く（図４（ｂ））。その後、プラング端子１ａがＵリンク２から引き抜かれるか、接続状態が緩くなった感触が得られた時点で弾性部材６をＵリンク２から離すように接続プラグ１を手前に引けばよい（図４（ｃ））。このような操作により、Ｕリンク２を所定箇所に残したまま、接続プラグ１をＵリンク２から抜き取ることが可能となり、Ｕリンク２の共抜けを防止することが可能となる。
【００２９】
図５において、付勢機構のさらに他の構成例が示されている。この例において、付勢機構は、接続プラグ１のプラグ本体１ｂの先端部に取り付けられて、接続プラグ１とＵリンク２との間に介在させる作用片７ａと、この作用片７ａから所定の角度に曲折されて接続プラグ１の側面に対して鋭角に延出する操作片７ｂとからなる屈曲部材７によって構成されている。この屈曲部材７は、合成樹脂などの剛性を有しつつ絶縁性に優れたものが用いられ、作用片７ａは、プラグ本体１ｂの先端中程を窪ませて形成された凹部１ｄに収容され、プラグ本体１ｂの端面より先端側へ出ないようにしている。
【００３０】
このような構成においては、Ｕリンク２に測定コード４を接続する場合には、屈曲部材７の作用片７ａをプラグ本体１ｂの凹部１ｄに収容した状態でＵリンク２に接続する。これにより、測定コード４の接続プラグ１をＵリンク２に隙間無く接続させることができ、接続プラグ１とＵリンク２との間のギャップに起因するノイズの混入や、接続プラグ１とＵリンク２との接触抵抗の変動による測定誤差を回避することが可能となる。
【００３１】
また、Ｕリンク２に接続された測定コード４を引き抜く場合には、プラグ本体１ｂを握るように持ちつつプラグ本体１ｂに取り付けられた屈曲部材７の操作片７ｂに親指をあて（図６（ａ））、この操作片７ｂを親指でプラグ本体１ｂに当接させるように倒す。これにより、梃子の原理により、屈曲部材７の作用片７ａがＵリンク２を装着方向に押圧しつつ、接続プラグ１がＵリンク２から外れる方向に変位する（図６（ｂ））。その後、操作片７ｂがプラグ本体１ｂの側面に当接されたか、プラグ端子１ａとＵリンク２との接続状態が緩くなった感触が得られた時点で接続プラグ１をＵリンク２から離すように手前にひけばよい（図６（ｃ））。このような操作により、Ｕリンク２を所定箇所に残したまま、接続プラグ１をＵリンク２から抜き取ることが可能となり、Ｕリンク２の共抜けを防止することが可能となる。
【００３２】
尚、上述の構成においては、通信装置の測定用に設けられたＵリンク２に測定コード４の挿抜式の接続プラグ１を接続する場合の例をあげたが、電力系統の接続構造に利用してもよい。即ち、壁面や柱等に設けられた既設のコンセントの差込口数を増加するために、コンセントに差込口増設用タップを取り付け、この増設用タップに電源コードの接続プラグを接続する場合に、前述した同様の付勢機構を接続プラグに設けることで、電源コードを増設用タップから引き抜く際に、増設用タップをコンセントに残したまま、電源コードの接続プラグを増設用タップから抜き取るようにしてもよい。
【図面の簡単な説明】
【００３３】
【図１】図１は、本発明に係る中継コネクタ共抜防止装置の第１の構成例を示す図であり、図１（ａ）は、中継コネクタとしてのＵリンクと付勢機構を備えた接続プラグとの接続前の状態を示す側面図であり、図１（ｂ）は、Ｕリンクに接続プラグを接続した状態を示す斜視図である。
【図２】図２は、図１で示す付勢機構としてのカバー部材を利用してＵリンクに接続された接続プラグを引き抜く過程を説明する図であり、図２（ａ）は接続プラグを引き抜くために手で持った初期の状態を示す図、図２（ｂ）は引き抜くために付勢機構としてのカバー部材を指で押し出した状態を示す図、図２（ｃ）はＵリンクから接続プラグを引き抜いた状態を示す図である。
【図３】図３は、本発明に係る中継コネクタ共抜防止装置の第２の構成例を示す図であり、図３（ａ）は、中継コネクタとしてのＵリンクと付勢機構を備えた接続プラグとの接続前の状態を示す側面図であり、図３（ｂ）は、Ｕリンクに接続プラグを接続した状態を示す斜視図である。
【図４】図４は、図３で示す付勢機構としての弾性部材を利用してＵリンクに接続された接続プラグを引き抜く過程を説明する図であり、図４（ａ）は接続プラグを引き抜くために手で持った初期の状態を示す図、図４（ｂ）は引き抜くために付勢機構としての弾性部材を指で押し出した状態を示す図、図４（ｃ）はＵリンクから接続プラグを引き抜いた状態を示す図である。
【図５】図５は、本発明に係る中継コネクタ共抜防止装置の第３の構成例を示す図であり、図５（ａ）は、中継コネクタとしてのＵリンクと付勢機構を備えた接続プラグとの接続前の状態を示す側面図であり、図５（ｂ）は、Ｕリンクに接続プラグを接続した状態を示す斜視図である。
【図６】図６は、図５で示す付勢機構としての屈曲部材を利用してＵリンクに接続された接続プラグを引き抜く過程を説明する図であり、図６（ａ）は接続プラグを引き抜くために手で持った初期の状態を示す図、図６（ｂ）は引き抜くために付勢機構としての屈曲部材の操作片を押した状態を示す図、図６（ｃ）はＵリンクから接続プラグを引き抜いた状態を示す図である。
【図７】図７は、中継コネクタとしてのＵリンクに測定コードの接続プラグを接続する既存の接続構造を説明する図であり、図７（ａ）は、Ｕリンクと接続プラグとの接続前の状態を示す側面図であり、図７（ｂ）は、Ｕリンクに接続された接続プラグを引き抜いた状態を示す斜視図である。
【符号の説明】
【００３４】
１  接続プラグ
１ｄ  凹部
２  Ｕリンク
５  カバー部材
６  弾性部材
７  屈曲部材
【図１】
2006253006.tif 000003
【図２】
2006253006.tif 000004
【図３】
2006253006.tif 000005
【図４】
2006253006.tif 000006
【図５】
2006253006.tif 000007
【図６】
2006253006.tif 000008
【図７】
2006253006.tif 000009